(57)【要約】【課題】販売制限商品の販売促進に役立てることができ、且つオペレータおよび顧客の利便性を高める。【解決手段】商品販売データ処理装置は、商品を登録する商品登録部と、販売制限商品の限度数量を表す限度数量情報を記憶する限度数量記憶部と、限度数量よりも少ないニアエンド数を設定する設定部と、販売制限商品が商品登録部によって登録された場合、登録された販売制限商品の数量を累積、または、登録された販売制限商品の数量を限度数量から減算して記憶する累積数記憶部と、累積数記憶部に記憶された販売制限商品の数量が、設定部で設定されたニアエンド数以上であり、且つ限度数量記憶部に記憶された限度数量情報が示す限度数量以下である場合、または、累積数記憶部に記憶された販売制限商品の数量が、零以上であり、且つ前記設定部で設定されたニアエンド数以下である場合に報知する報知部と、を備える。【選択図】図４
2018170046.tif 000002
【特許請求の範囲】
【請求項１】
商品を登録する商品登録部と、
販売制限がかかる対象の商品である販売制限商品の限度数量を表す限度数量情報を記憶する限度数量記憶部と、
前記限度数量よりも少ないニアエンド数を設定する設定部と、
前記販売制限商品が前記商品登録部によって登録された場合、前記登録された販売制限商品の数量を累積、または、前記登録された販売制限商品の数量を前記限度数量から減算して記憶する累積数記憶部と、
前記累積数記憶部に記憶された前記販売制限商品の数量が、前記設定部で設定された前記ニアエンド数以上であり、且つ前記限度数量記憶部に記憶された前記限度数量情報が示す限度数量以下である場合、または、前記累積数記憶部に記憶された前記販売制限商品の数量が、零以上であり、且つ前記設定部で設定された前記ニアエンド数以下である場合に報知する報知部と、
を備える商品販売データ処理装置。
【請求項２】
前記販売制限商品についての、特別価格を表す特別価格情報を記憶する価格記憶部、
を更に備え、
前記累積数記憶部は、前記販売制限商品が前記価格記憶部に記憶された前記特別価格を適用して前記商品登録部により登録された場合に、前記販売制限商品の数量を累積、または、前記登録された販売制限商品の数量を前記限度数量から減算して記憶する、
請求項１記載の商品販売データ処理装置。
【請求項３】
前記設定部は、顧客ごとにニアエンド数を設定し、
前記累積数記憶部は、前記顧客ごとに、前記登録された販売制限商品の数量を商品ごとまたは商品種別ごとに累積して記憶する、または、前記顧客ごとに、前記登録された販売制限商品の数量を商品ごとまたは商品種別ごとに前記限度数量から減算して記憶する、
請求項１または請求項２いずれか記載の商品販売データ処理装置。
【請求項４】
前記価格記憶部は、顧客を識別する顧客識別情報ごとに特別価格情報を記憶し、
媒体から顧客識別情報を取得する顧客識別情報取得部と、
前記顧客識別情報取得部が取得した前記顧客識別情報で前記価格記憶部を検索し、一致する顧客識別情報が前記価格記憶部に記憶されている場合は、前記販売制限商品の販売価格を前記顧客識別情報に関係付けられた特別価格情報が示す特別価格に設定し、一致する顧客識別情報が前記価格記憶部に記憶されていない場合は、前記販売制限商品の販売価格を通常価格に設定する判定部と、
を更に備える請求項２記載の商品販売データ処理装置。
【請求項５】
操作入力を受け付ける操作入力受付部と、
前記操作入力受付部により所定の操作入力が受け付けられたことに応じて、前記価格記憶部が記憶する特別価格情報と、前記限度数量記憶部が記憶する前記限度数量情報と、前記累積数記憶部が記憶する前記販売制限商品の数量とのうち少なくとも一つの情報を出力する出力部と、
を更に備える請求項２から請求項４いずれか一項記載の商品販売データ処理装置。
【発明の詳細な説明】
【技術分野】
【０００１】
本発明は、商品販売データ処理装置に関する。
【背景技術】
【０００２】
一定個数に限り値引きされた価格が適用される限定販売商品の個数を管理して、限定販売商品と通常販売の商品とを区別する技術が知られている（例えば、特許文献１参照）。
【先行技術文献】
【特許文献】
【０００３】
【特許文献１】特開２０１４−３８４７２号公報
【発明の概要】
【発明が解決しようとする課題】
【０００４】
しかしながら、従来、ＰＯＳレジスタのオペレータである店員は、限定販売商品の販売可能な残数を把握することができないため、顧客への積極的な案内ができないという不便さがあった。また、顧客も限定販売商品の購入可能な残数を把握することができないため、店員に問い合わせをする必要が生じていた。
本発明は、上記事情に鑑みてなされたものであり、販売制限がかかる対象の商品である販売制限商品の販売促進に役立てることができ、且つオペレータおよび顧客の利便性を高めることができる、商品販売データ処理装置を提供することを目的とする。
【課題を解決するための手段】
【０００５】
［１］上記の課題を解決するため、本発明の一態様である商品販売データ処理装置は、商品を登録する商品登録部と、販売制限がかかる対象の商品である販売制限商品の限度数量を表す限度数量情報を記憶する限度数量記憶部と、前記限度数量よりも少ないニアエンド数を設定する設定部と、前記販売制限商品が前記商品登録部によって登録された場合、前記登録された販売制限商品の数量を累積、または、前記登録された販売制限商品の数量を前記限度数量から減算して記憶する累積数記憶部と、前記累積数記憶部に記憶された前記販売制限商品の数量が、前記設定部で設定された前記ニアエンド数以上であり、且つ前記限度数量記憶部に記憶された前記限度数量情報が示す限度数量以下である場合、または、前記累積数記憶部に記憶された前記販売制限商品の数量が、零以上であり、且つ前記設定部で設定された前記ニアエンド数以下である場合に報知する報知部と、を備える。
【０００６】
［２］上記［１］記載の商品販売データ処理装置において、前記販売制限商品についての、特別価格を表す特別価格情報を記憶する価格記憶部、を更に備え、前記累積数記憶部は、前記販売制限商品が前記価格記憶部に記憶された前記特別価格を適用して前記商品登録部により登録された場合に、前記販売制限商品の数量を累積、または、前記登録された販売制限商品の数量を前記限度数量から減算して記憶する。
［３］上記［１］または［２］いずれか記載の商品販売データ処理装置において、前記設定部は、顧客ごとにニアエンド数を設定し、前記累積数記憶部は、前記顧客ごとに、前記登録された販売制限商品の数量を商品ごとまたは商品種別ごとに累積して記憶する、または、前記顧客ごとに、前記登録された販売制限商品の数量を商品ごとまたは商品種別ごとに前記限度数量から減算して記憶する。
［４］上記［２］記載の商品販売データ処理装置において、前記価格記憶部は、顧客を識別する顧客識別情報ごとに特別価格情報を記憶し、媒体から顧客識別情報を取得する顧客識別情報取得部と、前記顧客識別情報取得部が取得した前記顧客識別情報で前記価格記憶部を検索し、一致する顧客識別情報が前記価格記憶部に記憶されている場合は、前記販売制限商品の販売価格を前記顧客識別情報に関係付けられた特別価格情報が示す特別価格に設定し、一致する顧客識別情報が前記価格記憶部に記憶されていない場合は、前記販売制限商品の販売価格を通常価格に設定する判定部と、を更に備える。
［５］上記［２］から［４］いずれか一項記載の商品販売データ処理装置において、操作入力を受け付ける操作入力受付部と、前記操作入力受付部により所定の操作入力が受け付けられたことに応じて、前記価格記憶部が記憶する特別価格情報と、前記限度数量記憶部が記憶する前記限度数量情報と、前記累積数記憶部が記憶する前記販売制限商品の数量とのうち少なくとも一つの情報を出力する出力部と、を更に備える。
【発明の効果】
【０００７】
本発明によれば、販売制限がかかる対象の商品である販売制限商品の販売促進に役立てることができ、且つオペレータおよび顧客の利便性を高めることができる。
【図面の簡単な説明】
【０００８】
【図１】本発明の第１の実施形態である商品販売データ処理装置を適用したＰＯＳシステムの概略の全体構成の例を示すブロック図である。
【図２】登録用ＰＯＳレジスタのハードウェア構成の例を示すブロック図である。
【図３】精算用ＰＯＳレジスタのハードウェア構成の例を示すブロック図である。
【図４】ストアコントローラが管理する商品情報テーブルのデータ構成の例を示す図である。
【図５】ストアコントローラが管理する特売情報テーブルのデータ構成の例を示す図である。
【図６】精算用ＰＯＳレジスタの店員用表示部に表示される報知情報の例を示す図である。
【図７】精算用ＰＯＳレジスタが印刷部により印刷して出力させる会計レシートの例を示す図である。
【図８】登録用ＰＯＳレジスタによる商品登録処理の処理手順の例を示すフローチャートである。
【図９】精算用ＰＯＳレジスタによる会計処理の処理手順の例を示すフローチャートである。
【図１０】本発明の第２の実施形態において、ストアコントローラが管理する特売情報テーブルのデータ構成の例を示す図である。
【図１１】精算用ＰＯＳレジスタの店員用表示部に表示される報知情報の例を示す図である。
【図１２】精算用ＰＯＳレジスタが印刷部により印刷して出力させる会計レシートの例を示す図である。
【図１３】登録用ＰＯＳレジスタによる商品登録処理の処理手順の例を示すフローチャートである。
【発明を実施するための形態】
【０００９】
以下、本発明を実施するための形態について、図面を参照して詳細に説明する。
［第１の実施形態］
【００１０】
図１は、本発明の第１の実施形態である商品販売データ処理装置を適用したＰＯＳシステムの概略の全体構成の例を示すブロック図である。図１に示すように、ＰＯＳシステム１は、登録用ＰＯＳレジスタ１０と、精算用ＰＯＳレジスタ２０と、ストアコントローラ３０と、ネットワーク４０とを含む。
【００１１】
登録用ＰＯＳレジスタ１０と、精算用ＰＯＳレジスタ２０と、ストアコントローラ３０とは、ネットワーク４０を介して接続される。ネットワーク４０は、例えば、インターネットプロトコル（Ｉｎｔｅｒｎｅｔ  Ｐｒｏｔｏｃｏｌ；ＩＰ）によって通信可能なコンピュータネットワークである。例えば、ネットワーク４０は、店舗内に敷設されたローカルエリアネットワーク（Ｌｏｃａｌ  Ａｒｅａ  Ｎｅｔｗｏｒｋ；ＬＡＮ）である。ネットワーク４０は、例えば、他店のＬＡＮと接続されていてもよい。
【００１２】
なお、登録用ＰＯＳレジスタ１０と精算用ＰＯＳレジスタ２０との間、ストアコントローラ３０と登録用ＰＯＳレジスタ１０との間、またはストアコントローラ３０と精算用ＰＯＳレジスタ２０との間は、ネットワーク４０以外の接続であってもよい。ネットワーク４０を介さない通信接続の例として、電気配線を利用して高速通信を実現する電力線通信接続がある。
【００１３】
また、ＰＯＳシステム１において、例えば、登録用ＰＯＳレジスタ１０に対して複数の精算用ＰＯＳレジスタ２０をネットワーク４０に接続してもよい。この場合、登録用ＰＯＳレジスタ１０は、複数の精算用ＰＯＳレジスタ２０それぞれから自装置の状態（待機中、使用中、メンテナンス中等）を示すステータス情報を取得し、このステータス情報に応じて、待機中である（空いている）一台の精算用ＰＯＳレジスタ２０を選択する。
【００１４】
また、ＰＯＳシステム１は、ストアコントローラ３０の機能を登録用ＰＯＳレジスタ１０により実現させることによって、ストアコントローラ３０を省略する構成としてもよい。
【００１５】
ストアコントローラ３０は、ＰＯＳシステム１を制御するコンピュータ装置であり、商品情報テーブル、特売情報テーブル等の種々の情報を記憶し管理する。商品情報テーブルは、販売される各商品についての、商品コード（商品識別情報）、商品名称、通常価格、総数量、残数量等の商品情報を含むデータテーブルである。特売情報テーブルは、販売制限がかかる対象の商品である販売制限商品ごと、または商品種別ごとに、会員顧客ごとの特別価格、成立条件、期間、ニアエンド数、限度数量（制限数量）、累計等の特売情報を含むデータテーブルである。商品情報テーブルおよび特売情報テーブルのデータ構成の例については、後述する。なお、商品種別ごととは、商品分類（商品を区別する部門コード（例えば、精肉、鮮魚、青果等）や、部門の中での商品を括るコード（総菜、冷食、インスタント、日配品、雑貨等の分類コード等）や、または、特定の区分コード（例えば、特売品や贈答品等を区別するコード等））に応じてということである。
【００１６】
ストアコントローラ３０は、商品が追加または削除された場合、通常価格が改定されたり、残数量が変わったりした場合等において、商品情報テーブルを適宜更新する。そして、ストアコントローラ３０は、定期的、定時、または、商品情報テーブルが更新されるたびに、登録用ＰＯＳレジスタ１０および精算用ＰＯＳレジスタ２０に、最新の商品情報テーブルを送信する。
【００１７】
また、ストアコントローラ３０は、会員が追加または削除された場合、販売制限条件（例えば、特別価格、成立条件、期間、ニアエンド数、限度数量（制限数量））が改定されたり、累計が変わったりした場合等において、特売情報テーブルを適宜更新する。そして、ストアコントローラ３０は、定期的、定時、または、特売情報テーブルが更新されるたびに、登録用ＰＯＳレジスタ１０および精算用ＰＯＳレジスタ２０に、最新の特売情報テーブルを送信する。
【００１８】
登録用ＰＯＳレジスタ１０は、顧客の買上対象の商品（買上商品ともいう。）のデータを登録する商品登録処理を実行する商品登録装置（商品販売データ処理装置）である。よって、登録用ＰＯＳレジスタ１０は、買上商品を登録する商品登録部を備える。具体的に、登録用ＰＯＳレジスタ１０は、オペレータである店員の操作によって、買上商品に付されたバーコードを読み取るスキャナを備える。買上商品に付されたバーコードには、商品コードの情報が含まれている。つまり、登録用ＰＯＳレジスタ１０は、商品に付されたバーコードを読み取ることによって、この商品のデータを登録する。本実施形態において、登録用ＰＯＳレジスタ１０によって登録され、精算用ＰＯＳレジスタ２０によって精算処理に用いられる商品に関するデータを、商品販売データ（取引データ）と呼ぶ。例えば、一顧客あたりの商品販売データは、当該顧客の取引についての全ての買上商品の合計金額、各買上商品の商品名称、単価、値引価格、個数の情報等（明細情報）を含む。
【００１９】
登録用ＰＯＳレジスタ１０は、商品登録処理を開始する前に、顧客が有するカード（例えば、店舗が発行した会員カード等）に含まれる会員コード（顧客識別情報）を読み取る。具体的に、例えば、顧客のカードが磁気カードである場合、登録用ＰＯＳレジスタ１０は、磁気カードリーダまたは磁気カードリーダライタによって、顧客の磁気カードに記録された会員コードを読み取る。また、例えば、顧客のカードが、バーコードまたは二次元コードが印刷されたカードである場合、登録用ＰＯＳレジスタ１０は、バーコードリーダまたは二次元コードリーダによって、顧客のカードに記録された会員コードを読み取る。
ただし、顧客が会員カードを有していない（例えば、顧客が非会員である）場合、当該顧客は、店舗から非会員用カードまたは仮会員カードを借用して買い物を行ってもよい。この非会員用カードまたは仮会員カードには、非会員用または仮会員用のユニークな識別情報（非会員コードまたは仮会員コード）が記録または印刷されている。すなわち、登録用ＰＯＳレジスタ１０は、媒体（例えば、会員カード等）から顧客識別情報を取得する顧客識別情報取得部を備える。
【００２０】
また、前述の会員カードは、ＩＣチップを備えた会員カードであってもよく、例えば、ＲＦＩＤ（Ｒａｄｉｏ  Ｆｒｅｑｕｅｎｃｙ  Ｉｄｅｎｔｉｆｉｅｒ）によりＩＣチップから非接触で会員コード（顧客識別情報）をカード読取装置に読み取らせるものであってもよい。この場合、登録用ＰＯＳレジスタ１０は、会員カードから非接触で会員コード（顧客識別情報）等を読み取るカード読取装置を備える。また、前記の会員カードに限らず、例えば、顧客が所持する携帯電話を用いる形態であってもよい。この場合、近距離通信技術（例えば、通信距離が１０ｃｍ程度であり、かざすだけで、簡単にデータ通信することを可能にする通信技術）を適用し、例えばＮＦＣ（Ｎｅａｒ  Ｆｉｅｌｄ  Ｃｏｍｍｕｎｉｃａｔｉｏｎ）が可能な携帯端末（携帯電話、スマートフォン等）を、登録用ＰＯＳレジスタ１０の読み取り装置にかざすだけで、携帯端末からユニークな識別情報（会員コード）を読み出させるようにしてもよい。
【００２１】
登録用ＰＯＳレジスタ１０は、ストアコントローラ３０から取り込んだ商品情報テーブルを記憶する。
また、登録用ＰＯＳレジスタ１０は、ストアコントローラ３０から取り込んだ特売情報テーブルを記憶する。言い換えると、登録用ＰＯＳレジスタ１０は、販売制限商品ごとに、会員ごとの販売制限条件および累計を記憶する。販売制限条件には、販売制限商品の販売の限度数量を表す限度数量情報が含まれている。つまり、登録用ＰＯＳレジスタ１０は、限度数量情報を記憶する限度数量記憶部を備える。
【００２２】
また、販売制限条件には、販売制限商品のニアエンド数を表すニアエンド情報が含まれている。ニアエンド数は、販売制限商品の販売の限度数量よりも少ない数量である。つまり、登録用ＰＯＳレジスタ１０は、販売制限商品の販売の限度数量（制限数量）よりも少ないニアエンド数を設定する設定部を備える。
【００２３】
また、販売制限条件には、販売制限商品の特別価格を表す特別価格情報が含まれている。特別価格は、例えば、値引価格や割引価格である。値引価格として、例えば、一定個数を買上げに対して値引きされるミックスマッチ値引きがある。つまり、登録用ＰＯＳレジスタ１０は、販売制限商品についての特別価格を表す特別価格情報を記憶する価格記憶部を備える。
【００２４】
また、登録用ＰＯＳレジスタ１０は、会員ごとの販売制限商品の買上数の累計を記憶することから、販売制限商品が商品登録部によって登録された場合、登録された販売制限商品の数量を累積、または、前記登録された販売制限商品の数量を前記限度数量から減算して記憶する累積数記憶部を備える。
【００２５】
また、登録用ＰＯＳレジスタ１０は、特売情報テーブルに記憶された累計の数量が販売制限条件に含まれるニアエンド数以上であり、且つ販売制限条件に含まれる限度数量情報が示す限度数量以下である場合に、所定の報知情報を報知する。言い換えると、例えば、累積数記憶部に記憶された販売制限商品の数量が、設定部で設定されたニアエンド数以上であり、且つ限度数量記憶部に記憶された限度数量情報が示す限度数量以下である場合、または、前記累積数記憶部に記憶された前記販売制限商品の数量が、零以上であり、且つ前記設定部で設定された前記ニアエンド数以下である場合に報知情報を報知する報知部を備える。例えば、報知情報は、当該会員顧客に対する、販売制限商品の残買上可能数（限度数量−累計）、通常価格、特別価格、成立条件、累計、限度数量を含む。例えば、報知部は、オペレータに向けて設置された店員用表示部である。登録用ＰＯＳレジスタ１０が店員用表示部に報知情報を表示させることにより、オペレータは、販売制限商品の残数が少なくなっていることを認識しつつ、顧客に対して更に買上げ可能な個数を口頭で案内することができる。
【００２６】
なお、報知部が報知を行うタイミングは、登録用ＰＯＳレジスタ１０に報知対象の商品が登録された際、あるいは、所定キー（例えば、画面におけるプリセットキー、または、オペレータが手動押下するメカキー等）が押下されたタイミングである。また、報知情報は、店員用表示部に表示させることに限らず、顧客用表示部に表示させるようにしてもよい。顧客用表示部に報知情報が表示されることにより、顧客は、残りの買上げ可能数を目視して認識することができる。また、報知部による報知は、登録用ＰＯＳレジスタ１０の店員用表示部や顧客用表示部に報知情報を表示させることに限らず、顧客が所持する携帯端末（例えば、スマートホンなど）に報知情報を送信し報知するようにしてもよい。また、報知部は、報知情報の内容を音声とした音声ガイドをスピーカから出力させる音声出力装置であってもよい。報知情報の具体例については、後述する。
【００２７】
また、報知部は、登録用ＰＯＳレジスタ１０が報知対象の商品を登録したときに、その商品の報知情報を報知してもよいし、あるいは、特売情報テーブルに格納されている報知対象である報知すべき報知情報を全て報知するようにしてもよい。なお、報知部が、報知すべき報知情報を全て報知する場合は、オペレータが報知された報知情報から対象の報知情報を選択し適用させるようにしてもよい。このようにオペレータに報知情報を選択させる場合は、表示する報知情報を登録用ＰＯＳレジスタ１０に登録がなされた商品の報知情報と未だ登録がなされていない商品の報知情報とを判別（識別または区別）容易にするために表示態様を変えて表示するとオペレータの選択が容易である。また、顧客用表示部にも報知情報を表示させるようにした場合、報知された複数の報知情報から顧客が対象の報知情報を選択できるようにしてもよく、顧客により報知情報が選択されると、この選択された報知情報を当該商品販売データ（取引データ、取引情報）に適用させるようにしてもよい。
【００２８】
また、登録用ＰＯＳレジスタ１０は、顧客識別情報取得部が取得した会員コードで特売情報テーブルを検索し、一致する会員コードが特売情報テーブルに格納されている場合は、販売制限商品の販売価格を当該会員コードに関係付けられた特別価格情報が示す特別価格に設定し、一致する会員コードが特売情報テーブルに格納されていない場合は、販売制限商品の販売価格を商品情報テーブルに格納された通常価格に設定する判定部を備える。すなわち、判定部は、顧客識別情報取得部が取得した顧客識別情報で価格記憶部を検索し、一致する顧客識別情報が価格記憶部に記憶されている場合は、販売制限商品の販売価格を顧客識別情報に関係付けられた特別価格情報が示す特別価格に設定し、一致する顧客識別情報が価格記憶部に記憶されていない場合は、販売制限商品の販売価格を通常価格に設定する。
【００２９】
また、登録用ＰＯＳレジスタ１０は、操作入力を受け付ける操作部（操作入力受付部）を備える。例えば、操作部は、数字キー、小計キー、現計キー等のキー入力部を備える。なお、店員用表示部がタッチパネル付表示装置により実現されている場合、操作部は、店員用表示部に表示されるタッチパネル上のグラフィカルユーザインターフェース（Ｇｒａｐｈｉｃａｌ  Ｕｓｅｒ  Ｉｎｔｅｒｆａｃｅ；ＧＵＩ）画像（ＧＵＩキー）であってもよい。例えば、ＧＵＩキーとして、登録用ＰＯＳレジスタ１０が精算用ＰＯＳレジスタ２０に商品販売データおよび後述する案内情報（報知情報）を送信するための精算装置キーがある。
【００３０】
また、登録用ＰＯＳレジスタ１０は、操作部により所定の操作入力が受け付けられたことに応じて、特売情報テーブルに格納された、当該会員顧客についての販売制限条件および累計のうち少なくとも一つを含む案内情報を出力する出力部を備える。出力部は、例えば、登録用ＰＯＳレジスタ１０と精算用ＰＯＳレジスタ２０とが通信するための通信部である。例えば、通信部は、操作部の精算装置キーが押下（タップ）されたことに応じて、特売情報テーブルに格納された、特別価格情報および成立条件と、期間と、限度数量情報と、前記販売制限商品の累計の数量とのうち少なくとも一つの案内情報を、商品販売データとともに精算用ＰＯＳレジスタ２０に送信する。すなわち、例えば、出力部は、操作部により所定の操作入力が受け付けられたことに応じて、価格記憶部が記憶する特別価格情報と、限度数量記憶部が記憶する限度数量情報と、累積数記憶部が記憶する販売制限商品の数量とのうち少なくとも一つを含む案内情報を出力する。
【００３１】
なお、商品販売データは、一顧客の取引についての全ての買上商品の合計金額、各買上商品の商品名称、単価、値引価格、個数の情報等を識別する取引識別情報であってもよい。この場合、例えば、精算用ＰＯＳレジスタ２０は、その取引識別情報に基づいて、ストアコントローラ３０、またはストアコントローラ３０の機能を実現する登録用ＰＯＳレジスタ１０にリクエスト情報を送信する。そして、精算用ＰＯＳレジスタ２０は、リクエスト情報を受信したストアコントローラ３０または登録用ＰＯＳレジスタ１０から、一顧客の取引についての全ての買上げ商品の合計金額、各買上商品の商品名称、単価、値引価格、個数の情報等を取得する。
【００３２】
また、登録用ＰＯＳレジスタ１０は、精算用ＰＯＳレジスタ２０を指定する情報と商品販売データと案内情報とをストアコントローラ３０に送信し、精算用ＰＯＳレジスタ２０を案内する情報を印刷した精算用レシート（例えば、精算用ＰＯＳレジスタ２０を指定する情報がバーコード、または、当該顧客の商品販売データ（取引データ）を特定（識別）する情報（例えば、取引番号または取引識別コード）がバーコードとして印刷されたレシート）を印刷部で印刷して出力させてもよい。この場合、オペレータは、その出力された精算用レシートを顧客に手渡しする。精算用レシートが精算用ＰＯＳレジスタ２０のスキャナで読み取られると、精算用ＰＯＳレジスタ２０は、ストアコントローラ３０から精算用ＰＯＳレジスタ２０を指定する情報、または、当該顧客の商品販売データ（取引データ）を特定（識別）する情報（例えば、取引番号または取引識別コード）をキーとして商品販売データおよび案内情報を取得する。
【００３３】
精算用ＰＯＳレジスタ２０は、顧客自身の操作に応じて精算処理を実行する精算装置（セルフレジスタ）である。精算用ＰＯＳレジスタ２０は、自動釣銭釣札機と、ＩＣカードリーダ（例えば、クレジットカードまたはポイントカード用）、ＲＦ（Ｒａｄｉｏ  Ｆｒｅｑｕｅｎｃｙ）リーダ（例えば、電子マネー用）等の決済部とを備える。また、精算用ＰＯＳレジスタ２０は、少なくとも、買上対象の商品についての精算情報を含むレシート（会計レシート）を印刷して出力する印刷部を備える。なお、精算用ＰＯＳレジスタ２０が案内情報を取得している場合には、印刷部は、その案内情報を精算情報と区分して紙媒体に印刷し、会計レシートとして出力する。
【００３４】
また、精算用ＰＯＳレジスタ２０は、案内情報を取得している場合において、少なくとも、印刷部が会計レシートを出力し終えるまでの間に、その会計レシートが案内情報を含むことを表す情報を、顧客に表示面を向けて設置された表示部に表示させてもよい。これにより、顧客は、精算用ＰＯＳレジスタ２０から会計レシートに案内情報が印刷されていることを知ることができる。
なお、精算用ＰＯＳレジスタ２０は、会計レシートが案内情報を含むことを表す情報の内容を音声とした音声情報を、スピーカから出力させてもよい。
【００３５】
案内情報および商品販売データを取得した場合の精算用ＰＯＳレジスタ２０の処理の流れは、次のようになる。
（１）精算用ＰＯＳレジスタ２０は、決済方法を選択する。具体的に、顧客は、現金、クレジットカード、電子マネー等のいずれか、または併用する決済方法を操作部の操作によって選択する。
（２）次に、精算用ＰＯＳレジスタ２０は、選択された決済方法による決済処理（精算処理）を実行する。すなわち、精算用ＰＯＳレジスタ２０は、自動釣銭釣札機への現金投入や釣銭の支払い、カードリーダでのカード読み取り等によって決済を実行する。
（３）次に、精算用ＰＯＳレジスタ２０は、印刷部から買上対象の商品についての精算情報と案内情報とを含む会計レシートを印刷して出力する。つまり、会計レシートには、例えば、買上商品全ての合計金額、各買上商品の商品名称、単価、値引価格、預かり金額、釣金額の他、案内情報が印刷される。
【００３６】
なお、精算用ＰＯＳレジスタ２０における決済方法は、登録用ＰＯＳレジスタ１０で申告してもよい。この場合は、登録用ＰＯＳレジスタ１０が、決済方法を示す情報を精算用ＰＯＳレジスタ２０へ送信し、決済方法を示す情報を受信した精算用ＰＯＳレジスタ２０が、上記（２）から処理を開始する。
【００３７】
図２は、登録用ＰＯＳレジスタ１０のハードウェア構成の例を示すブロック図である。図２に示すように、登録用ＰＯＳレジスタ１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、スキャナ１０４と、店員用表示部１０５と、顧客用表示部１０６と、操作部１０７と、通信部１０８と、ブザー１０９と、印刷部１１０と、カードリーダ１２０とを備える。
ＣＰＵ１０１と、ＲＯＭ１０２と、ＲＡＭ１０３と、スキャナ１０４と、店員用表示部１０５と、顧客用表示部１０６と、操作部１０７と、通信部１０８と、ブザー１０９と、印刷部１１０と、カードリーダ１２０とは、バスおよび信号線を介して接続されている。
【００３８】
ＲＯＭ１０２は、読み出し専用メモリであり、プログラムを記憶する。ＣＰＵ１０１は、中央演算処理装置であり、ＲＯＭ１０２に記憶されているプログラムを読み出して実行することにより、登録用ＰＯＳレジスタ１０の動作を制御する。スキャナ１０４は、商品に付されているバーコードを光学的に読み取る。ＲＡＭ１０３は、随時読み出し書き込みメモリであり、種々の情報を記憶する。例えば、ＲＡＭ１０３は、スキャナ１０４によって読み取られたバーコードに関連付けられた商品情報、精算用ＰＯＳレジスタ２０から受信したステータス情報等を記憶する。また、例えば、ＲＡＭ１０３は、ストアコントローラ３０から取り込んだ商品情報テーブルおよび特売情報テーブルを記憶する。
【００３９】
店員用表示部１０５および顧客用表示部１０６は、種々の情報を表示する。例えば、店員用表示部１０５および顧客用表示部１０６は、商品情報テーブルから取得した情報（例えば、商品の名称、販売価格、値引価格等）を表示する。また、少なくとも店員用表示部１０５は、所定の条件にしたがって報知情報を表示する。また、店員用表示部１０５は、タッチパネル付表示装置により実現され、店員に対する種々の情報を表示する。例えば、店員用表示部１０５は、画面内の領域に表示されたＧＵＩキー（プリセットボタン）が操作されることにより、予め設定登録された商品情報（商品コード等）について、操作入力を受け付ける。
【００４０】
報知情報は、登録用ＰＯＳレジスタ１０に報知対象の商品が登録されたタイミング、あるいは、所定のキー（例えば、報知情報を表示させる画面内の領域に表示されたＧＵＩキー（プリセットボタン）、または、オペレータが手動押下する操作部１０７に設けられた操作ボタン等）が操作されたタイミング、精算用ＰＯＳレジスタ２０を指定するキーが押下されたタイミング等何れかのタイミングで報知されるようにしてもよい。なお、店員用表示部１０５および顧客用表示部１０６またはいずれかに報知させる報知情報を印字するための所定のキー（例えば、報知情報を表示させる画面内の領域に表示されたＧＵＩキー（プリセットボタン）、または、オペレータが押下する操作部１０７に設けられた操作ボタン等）を設けてもよい。この場合、前記の所定のキーが操作されると、店員用表示部１０５および顧客用表示部１０６またはいずれかに報知する報知情報を印字部１１０より印字させるようにしてもよい。印字される報知情報（案内情報）は、例えば、販売制限商品の商品名称、期間、特別価格、成立条件、本取引での買上数、残りの買上可能数、販売上限個数（限度数量）、購入済み個数（今までに購入した個数）等を含む。なお、印字させるための所定のキーは、商品の登録途中で押下された場合に、報知情報（案内情報）を印刷部１１０により印字させることができる。なお、前記の所定のキーは、商品販売データ（取引データ）を精算用ＰＯＳレジスタ２０へ送信する（締め操作）前であればいつでも操作可能である。
【００４１】
操作部１０７は、登録用ＰＯＳレジスタ１０を動作させるための各種の操作ボタン（小計キー、現計キー、置数キー、訂正キー、プリセットキー等）を備える。例えば、操作部１０７は、操作ボタン（プリセットキー）が操作されることにより、そのプリセットキーに予め設定登録されている商品情報（商品コード等）について、操作入力を受け付ける。通信部２０７は、ネットワーク４０を介して、他の装置と通信する。ブザー１０９は、店員が操作を確認することが必要な場合等に、ブザー音や合成音声を発生する。
【００４２】
印刷部１１０は、商品販売データ等を示す情報を必要に応じて印刷する。ただし、本実施形態において商品販売データの印刷は省略することができる。なお、印刷部１１０は、前述したように、商品販売データの送信先となる精算用ＰＯＳレジスタ２０を案内する情報を精算用レシートに印刷してもよい。カードリーダ１２０は、顧客が有するカードの会員コードを読み取る。
【００４３】
プログラムを実行するＣＰＵ１０１（制御部）は、商品登録部と、設定部と、判定部と、出力部との機能を実現する。また、店員用表示部１０５と、顧客用表示部１０６と、ブザー１０９とは、報知部の機能を実現する。
【００４４】
図３は、精算用ＰＯＳレジスタ２０のハードウェア構成の例を示すブロック図である。図３に示すように、精算用ＰＯＳレジスタ２０は、ＣＰＵ２０１と、ＲＯＭ２０２と、ＲＡＭ２０３と、スキャナ２０４と、表示部２０５と、操作部２０６と、通信部２０７と、ブザー２０８と、印刷部２０９と、決済部２１０と、自動釣銭釣札機２１１とを備える。
ＣＰＵ２０１と、ＲＯＭ２０２と、ＲＡＭ２０３と、スキャナ２０４と、表示部２０５と、操作部２０６と、通信部２０７と、ブザー２０８と、印刷部２０９と、決済部２１０と、自動釣銭釣札機２１１とは、バスおよび信号線を介して接続されている。
【００４５】
ＲＯＭ２０２は、プログラムを記憶している読み出し専用メモリである。ＣＰＵ２０１は、中央演算処理装置であり、ＲＯＭ２０２に記憶されているプログラムを読み出して実行することにより、精算用ＰＯＳレジスタ２０の動作を制御する。ＲＡＭ２０３は、種々の情報を記憶する、随時読み出し書き込みメモリである。例えば、ＲＡＭ２０３は、ストアコントローラ３０から取得した商品情報テーブル、およびスキャナ２０４によって読み取られたバーコードまたは二次元コードによって示される商品の買上内容等を記憶する。スキャナ２０４によってバーコードまたは二次元コードを読み取る場合の例として、登録用ＰＯＳレジスタ１０において、精算用ＰＯＳレジスタ２０のステータス情報が何らかの事情により取得することができない（例えば、トラブル発生中の状況にある）ために、登録用ＰＯＳレジスタ１０が会計に用いるバーコードまたは二次元コードを精算用レシートに印字した場合等である。
【００４６】
また、スキャナ２０４は、例えば、顧客が有するカードに含まれる会員コードを読み取る。具体的に、例えば、顧客のカードが磁気カードである場合、磁気カードリーダまたは磁気カードリーダライタであるスキャナ２０４は、顧客の磁気カードに記録された会員コードを読み取る。また、例えば、顧客のカードが、バーコードまたは二次元コードが印刷されたカードである場合、バーコードリーダまたは二次元コードリーダであるスキャナ２０４は、顧客のカードに印刷された会員コードのコードを読み取る。
【００４７】
表示部２０５は、ＣＰＵ２０１による制御に応じて、種々の情報を表示する。操作部２０６は、精算用ＰＯＳレジスタ２０を動作させるための各種の操作ボタン（訂正キー、プリセットキー、店員呼出ボタン等）を備える。例えば、操作部２０６は、操作ボタン（訂正キー）が操作されることにより、操作入力の訂正を受け付ける。通信部２０７は、ネットワーク４０を介して、他の装置と通信する。通信部２０７は、例えば、ストアコントローラ３０と通信して、ストアコントローラ３０から最新の商品情報テーブルを取得する。ブザー２０８は、エラー等が発生した場合、エラーを報知するブザー音や合成音声を発生する。ＣＰＵ２０１が登録用ＰＯＳレジスタ１０から案内情報を取得した場合、印刷部２０９は、精算情報の他に案内情報を印刷した会計レシートを出力する。
【００４８】
決済部２１０は、クレジットカードリーダ、電子マネーリーダ等と、それらの制御部とを備える。決済部２１０は、現金、クレジット、電子マネーにより決済処理を行う。決済部２１０は、自動釣銭釣札機２１１によって、現金による決済を実行し、決済を実行した結果（例えば、決済が成立したか否かを示す情報）をＣＰＵ２０１に供給する。また、決済部２１０は、クレジットにより決済を実行し、決済を実行した結果をＣＰＵ２０１に供給する。また、決済部２１０は、電子マネーにより決済を実行し、決済を実行した結果をＣＰＵ２０１に供給する。自動釣銭釣札機２１１は、紙幣の投入および排出を行う紙幣入出口と、硬貨を投入する硬貨投入口と、お釣りの硬貨を排出する硬貨排出口とを備える。
なお、現金決済以外の決済部２１０は、登録用ＰＯＳレジスタ１０側に設けてもよい。これにより、顧客による精算用ＰＯＳレジスタ２０での操作を更に簡略化することができる。
【００４９】
図４は、ストアコントローラ３０が管理する商品情報テーブルのデータ構成の例を示す図である。図４に示すように、商品情報テーブルは、商品ごと、または、商品種別ごとの商品情報を含む。商品情報は、例えば、商品コード（または、商品種別コード）と、商品名称と、通常価格と、総数量と、残数量とを含む。商品コードは、商品の識別情報であり、商品に付されたバーコードに記録される情報である。商品名称は、商品の名称である。通常価格は、通常販売時（特別販売を除く）の商品の価格である。総数量は、商品の総販売数を示す情報である。残数量は、現時点での商品の残数量（在庫数量）を示す情報である。
なお、総数量は、全会員または会員毎（会員個別）に割り当てられた商品の総販売数を示す情報であってもよい。また、残数量は、現時点での全会員または会員ごと（会員個別）に割り当てられた商品の残数量（在庫数量）を示す情報であってもよい。
【００５０】
図４の商品情報テーブルは、商品コードが“12345678”、商品名称が“みかん”、通常価格が“300”（３００円）、総数量が“500”（５００個）、残数量が“50”（５０個）である商品情報を含んでいる。
【００５１】
図５は、ストアコントローラ３０が管理する特売情報テーブルのデータ構成の例を示す図である。図５に示すように、特売情報テーブルは、商品ごとに、会員ごとの制限販売条件（特別価格、成立条件、期間、ニアエンド数、および限度数量）および累計を含む。商品コードは、商品の識別情報である。会員コードは、会員顧客の識別情報であり、会員カードに記録または印刷される情報である。特別価格は、特別販売時（通常販売を除く）の商品の値引き価格（マイナス記号を付して表す。）である。なお、特別価格を値引き後の価格や割引価格としてもよい。成立条件は、特別価格が適用されるための商品の組み合わせの条件を表す。期間は、特別販売が実施される期間を表す。ニアエンド数は、限度数量よりも少ない数であり、報知情報が報知されるための条件を表す。限度数量は、特別販売可能な限度数を表す。よって、報知部は、残数量がニアエンド数以上であり、且つ限度数量以下である場合に、報知情報を報知する。累計は、顧客が当該販売制限商品を買い上げた数量の累計を表す。
【００５２】
なお、累計に限らず、減算する方式でもよく、登録された制限販売条件の商品の数量を商品ごとに限度数量から減算して残数量として記憶するようにしてもよい。なお、この場合の報知情報の報知は、限度数量から減算して記憶した残数量が“０”（零）以上であり、且つ、残数量がニアエンド数以下である場合に報知するように制御を行う。
【００５３】
また、報知を行う際の報知情報は、ニアエンドである商品とその残数量を報知するのに限らず、例えば、ニアエンドとなった商品の代替商品を報知させるようにしてもよい。その代替商品の報知は、ニアエンドとなった商品と同種（同類）の類似商品とその数量の情報、または、ニアエンドとなった商品と別種（別類）の商品で少し値段が高い（グレードの高い）商品とその数量などのアップグレード情報などを代替商品として報知してもよい。こうすることにより、ニアエンドとなった商品を少ないながらも数多くの顧客に割り当てる（他の顧客に購入してもらえる）ようにすることができるとともに、購入する商品がニアエンドとなった商品よりもアップグレードされた商品が購入できる等のサービスを提供することになり、顧客満足度を高めることができる。
【００５４】
図５の特売情報テーブルは、商品コードが“12345678”、会員コードが“XXX3841-682”、特別価格が“-200”（２００円引）、成立条件が“3”（３個で２００円引）、期間が“2014/9/1〜2014/9/7”（２０１４年９月１日〜２０１４年９月７日）、ニアエンド数が“9”（９個）、限度数量が“15”（１５個）、累計が“3”（３個）である特売情報を含んでいる。また、この特売情報テーブルは、商品コードが“12345678”、会員コードが“XXX3964-026”、特別価格が“-200”（２００円引）、成立条件が“3”（３個で２００円引）、期間が“2014/9/1〜2014/9/7”（２０１４年９月１日〜２０１４年９月７日）、ニアエンド数が“9”（９個）、限度数量が“15”（１５個）、累計が“12”（１２個）である特売情報を含んでいる。
【００５５】
図６は、精算用ＰＯＳレジスタ１０の店員用表示部１０５に表示される報知情報の例を示す図である。図６の商品登録画面６０は、販売制限商品（図６では、ミックスマッチ商品）である“みかん”が登録される場合の表示例である。累積数記憶部に記憶された販売制限商品“みかん”の数量が、設定部により設定されたニアエンド数（例えば、“９個”）以上であり、且つ限度数量記憶部に記憶された限度数量情報が示す限度数量（図６では、“１５個”）以下である場合に、例えば小計キーが押下されると、報知情報６１が例えばポップアップ表示される。報知情報６１は、当該顧客の残りの買上可能数が“１２個”、通常価格が“３００円”、特別価格が“２００円引”、成立条件が“３個”（３個で２００円引）、当該顧客の買上累計個数が“３個”、販売上限個数（限度数量）が“１５個”であることを表している。オペレータがこの報知情報６１を確認し、必要に応じて顧客に口頭で案内した後、確認キー６２がタップされることにより、ＣＰＵ１０１は、報知情報６１および確認キー６２を消去する。そして、精算装置キー６３がタップされることにより、登録用ＰＯＳレジスタ１０は、商品販売データおよび案内情報を精算用ＰＯＳレジスタ２０に送信する。
【００５６】
図７は、精算用ＰＯＳレジスタ２０が印刷部２０９により印刷して出力させる会計レシートの例を示す図である。図７の会計レシート７０は、上側に精算情報、下側に案内情報を区分けして印字した例である。会計レシート７０には、この会計レシート７０を受け取る会員顧客に対する案内情報として、販売制限商品の商品名称“みかん”、期間“２０１４年９／１〜９／７”、特別価格“２００円引”、成立条件“３個”（３個で２００円引）、本取引での買上数“３個”、残りの買上可能数（限度数量−累計）“１２個”、販売上限個数（限度数量）“１５個”、購入済み個数が“３個”が印刷されている。なお、印刷部２０９は、精算情報を印刷した第１のレシートと、案内情報を印刷した第２のレシートとを別々に出力してもよい。また、印刷部２０９は、精算情報と案内情報との間を例えば分断容易（例えば、ミシン目入り、部分カット）に加工した会計レシートを出力してもよい。
【００５７】
次に、第１の実施形態による登録用ＰＯＳレジスタ１０による商品登録処理について説明する。
図８は、登録用ＰＯＳレジスタ１０による商品登録処理の処理手順の例を示すフローチャートである。本フローチャートは、販売制限商品のみを登録する場合の例である。
ステップＳ１において、登録用ＰＯＳレジスタ１０のカードリーダ１２０が、顧客が有するカード（店舗が発行した会員カード等）に記録または印刷された会員コードを読み取る。
次に、ステップＳ２において、商品登録部は、当該顧客の買上対象の販売制限商品を登録する。
【００５８】
次に、ステップＳ３において、判定部は、ステップＳ１の処理で読み取った会員コードで価格記憶部を検索する。そして、一致する会員コードが価格記憶部に記憶されている場合（ステップＳ３：ＹＥＳ）はステップＳ４の処理に進み、一致する会員コードが価格記憶部に記憶されていない場合（ステップＳ３：ＮＯ）はステップＳ８の処理に進む。
【００５９】
ステップＳ４において、判定部は、販売制限商品の販売価格を会員コードに関係付けられた特別価格情報が示す特別価格に設定する。次に、商品登録部は、その販売価格により、販売制限商品を登録する。
次に、ステップＳ５において、累積数記憶部は、当該販売制限商品の数量を累積して更新する。
【００６０】
次に、ステップＳ６において、制御部は、累積数記憶部に記憶された販売制限商品の数量が、設定部により設定されたニアエンド数以上であるか否かを判定し、ニアエンド数以上であると判定した場合（ステップＳ６：ＹＥＳ）はステップＳ７の処理に進め、ニアエンド数に満たないと判定した場合（ステップＳ６：ＮＯ）はステップＳ９の処理に進める。
【００６１】
ステップＳ７において、報知部は、報知情報を報知する。具体的に、例えば、制御部は、当該会員顧客に対する、販売制限商品の残買上可能数（総数量−累計）、通常価格、特別価格、成立条件、累計、限度数量を含む報知情報を、店員用表示部１０５および顧客用表示部１０６のうち少なくとも店員用表示部１０５に表示させる。オペレータによって確認キーがタップされると報知情報は消去する。次に、ステップＳ９の処理に進める。
【００６２】
一方、ステップＳ８において、判定部は、販売制限商品の販売価格を通常価格に設定する。次に、商品登録部は、その販売価格により、販売制限商品を登録する。次に、ステップＳ９の処理に進める。
【００６３】
ステップＳ９において、現計キーが押下（タップ）された場合（ステップＳ９：ＹＥＳ）は、ステップＳ１０の処理に進み、それ以外（まだ商品登録が残っている場合）（ステップＳ９：ＮＯ）はステップＳ２の処理に戻す。
【００６４】
ステップＳ１０において、精算装置キーがタップされると、制御部は、商品販売データおよび案内情報（例えば、価格記憶部が記憶する特別価格情報と、限度数量記憶部が記憶する限度数量情報と、累積数記憶部が記憶する販売制限商品の数量とのうち少なくとも一つを含む。）を精算装置キーに対応付けられた精算用ＰＯＳレジスタ２０に送信する。そして、本フローチャートによる処理を終了させる。
【００６５】
次に、第１の実施形態による精算用ＰＯＳレジスタ２０による会計処理について説明する。
図９は、精算用ＰＯＳレジスタ２０による会計処理の処理手順の例を示すフローチャートである。本フローチャートは、顧客が有するカードの会員コードがスキャナ２０４によって読み取られ、または、精算用ＰＯＳレジスタ２０を案内する情報が印刷された精算用レシートがスキャナ２０４によって読み取られた場合、本フローチャートの処理が開始される。
【００６６】
ステップＳ２１において、通信部２０７は、登録用ＰＯＳレジスタ１０が送信した商品販売データおよび案内情報を受信し、この商品販売データおよび案内情報をＣＰＵ２０１に供給する。ＣＰＵ２０１は、商品販売データおよび案内情報を取得し、ＲＡＭ２０３に記憶させる。
次に、ステップＳ２２において、ＣＰＵ２０１は、ＲＡＭ２０３に記憶された商品販売データに基づいて精算処理を実行する。この精算処理において、精算用ＰＯＳレジスタ２０は、決済方法を選択する。次に、精算用ＰＯＳレジスタ２０は、選択された決済方法による決済処理（精算処理）を実行する。すなわち、精算用ＰＯＳレジスタ２０は、自動釣銭釣札機２１１への現金投入や釣銭の支払い、カードリーダでのカード読み取り等によって決済を実行する。
【００６７】
なお、ここで、ＣＰＵ２０１は、レシートが案内情報を含むことを表す情報を表示部２０５に表示させてもよい。また。ＣＰＵ２０１は、ブザー２０８からその情報の合成音声を出力させてもよい。
次に、ステップＳ２３において、印刷部２０９は、買上対象の商品についての精算情報と案内情報とを含む会計レシートを印刷して出力する。そして、本フローチャートによる処理を終了させる。
【００６８】
［第２の実施形態］
本発明の第２の実施形態のシステム構成およびハードウェア構成は、第１の実施形態と同様であるため、その説明を省略する。
【００６９】
本発明の第２の実施形態において、特売情報テーブルは、販売制限がかかる対象の商品である販売制限商品ごとの特別価格、成立条件、期間、ニアエンド数、限度数量、累計等の特売情報を含むデータテーブルである。
図１０は、本発明の第２の実施形態において、ストアコントローラ３０が管理する特売情報テーブルのデータ構成の例を示す図である。図１０に示すように、特売情報テーブルは、商品ごとの制限販売条件（特別価格、成立条件、期間、ニアエンド数、および限度数量）および累計を含む。
【００７０】
図１０の特売情報テーブルは、商品コードが“12345678”、特別価格が“-200”（２００円引）、成立条件が“3”（３個で２００円引）、期間が“2014/9/1〜2014/9/7”（２０１４年９月１日〜２０１４年９月７日）、ニアエンド数が“400”（４００個）、限度数量が“500”（５００個）、累計が“3”（３個）である特売情報を含んでいる。
【００７１】
図１１は、精算用ＰＯＳレジスタ１０の店員用表示部１０５に表示される報知情報の例を示す図である。図１１の商品登録画面８０は、販売制限商品（図１１では、ミックスマッチ商品）である“みかん”が登録される場合の表示例である。累積数記憶部に記憶された販売制限商品“みかん”の数量が、設定部により設定されたニアエンド数（例えば、“４００個”）以上であり、且つ限度数量記憶部に記憶された限度数量情報が示す限度数量（図１１では、“５００個”）以下である場合に、例えば小計キーが押下されると、報知情報８１が例えばポップアップ表示される。報知情報８１は、販売制限商品である“みかん”の残数が“５０個”、通常価格が“３００円”、特別価格が“２００円引”、成立条件が“３個”（３個で２００円引）、販売上限個数（限度数量）が“５００個”、購入済み個数が“４５０個”であることを表している。オペレータがこの報知情報６１を確認し、必要に応じて顧客に口頭で案内した後、確認キー８２がタップされることにより、ＣＰＵ１０１は、報知情報８１および確認キー８２を消去する。そして、精算装置キー８３がタップされることにより、登録用ＰＯＳレジスタ１０は、商品販売データおよび案内情報を精算用ＰＯＳレジスタ２０に送信する。
【００７２】
図１２は、精算用ＰＯＳレジスタ２０が印刷部２０９により印刷して出力させる会計レシートの例を示す図である。図１２の会計レシート９０は、上側に精算情報、下側に案内情報を区分けして印字した例である。会計レシート９０には、この会計レシート９０を受け取る顧客に対する案内情報として、販売制限商品の商品名称“みかん”、期間“２０１４年９／１〜９／７”、特別価格“２００円引”、成立条件“３個”（３個で２００円引）、本取引での買上数“３個”、残りの買上可能数（残数量）“５０個”、販売上限個数（限度数量）“５００個”、購入済み個数が“４５０個”が印刷されている。なお、印刷部２０９は、精算情報を印刷した第１のレシートと、案内情報を印刷した第２のレシートとを別々に出力してもよい。また、印刷部２０９は、精算情報と案内情報との間を例えば分断容易（例えば、ミシン目入り、部分カット）に加工した会計レシートを出力してもよい。
【００７３】
次に、第２の実施形態による登録用ＰＯＳレジスタ１０による商品登録処理について説明する。
図１３は、登録用ＰＯＳレジスタ１０による商品登録処理の処理手順の例を示すフローチャートである。本フローチャートは、販売制限商品のみを登録する場合の例である。
ステップＳ４１において、商品登録部は、買上対象の販売制限商品を登録する。
次に、ステップＳ４２において、制御部は、販売制限商品の販売価格を特別価格情報が示す特別価格に設定する。次に、商品登録部は、その販売価格により、販売制限商品を登録する。
次に、ステップＳ４３において、累積数記憶部は、当該販売制限商品の数量を累積して更新する。
【００７４】
次に、ステップＳ４４において、制御部は、累積数記憶部に記憶された販売制限商品の数量が、設定部により設定されたニアエンド数以上であるか否かを判定し、ニアエンド数以上であると判定した場合（ステップＳ４４：ＹＥＳ）はステップＳ４５の処理に進め、ニアエンド数に満たないと判定した場合（ステップＳ４４：ＮＯ）はステップＳ４６の処理に進める。
【００７５】
ステップＳ４５において、報知部は、報知情報を報知する。具体的に、例えば、制御部は、販売制限商品の残買上可能数（総数量−累計）、通常価格、特別価格、成立条件、累計、限度数量を含む報知情報を、店員用表示部１０５および顧客用表示部１０６のうち少なくとも店員用表示部１０５に表示させる。オペレータによって確認キーがタップされると報知情報は消去する。次に、ステップＳ４６の処理に進める。
【００７６】
ステップＳ４６において、現計キーが押下（タップ）された場合（ステップＳ４６：ＹＥＳ）は、ステップＳ４７の処理に進み、それ以外（まだ商品登録が残っている場合）（ステップＳ４６：ＮＯ）はステップＳ４１の処理に戻す。
【００７７】
ステップＳ４７において、精算装置キーがタップされると、制御部は、商品販売データおよび案内情報（例えば、価格記憶部が記憶する特別価格情報と、限度数量記憶部が記憶する限度数量情報と、累積数記憶部が記憶する販売制限商品の数量とのうち少なくとも一つを含む。）を精算装置キーに対応付けられた精算用ＰＯＳレジスタ２０に送信する。そして、本フローチャートによる処理を終了させる。
【００７８】
以上、詳述したとおり、実施形態である商品販売データ処理装置は、商品を登録する商品登録部と、販売制限がかかる対象の商品である販売制限商品の限度数量を表す限度数量情報を記憶する限度数量記憶部と、限度数量よりも少ないニアエンド数を設定する設定部と、販売制限商品が商品登録部によって登録された場合、登録された販売制限商品の数量を累積、または、登録された販売制限商品の数量を限度数量から減算して記憶する累積数記憶部と、累積数記憶部に記憶された販売制限商品の数量が、設定部で設定されたニアエンド数以上であり、且つ限度数量記憶部に記憶された限度数量情報が示す限度数量以下である場合、または、前記累積数記憶部に記憶された前記販売制限商品の数量が、零以上であり、且つ前記設定部で設定された前記ニアエンド数以下である場合に報知する報知部と、を備える。
【００７９】
この構成により、販売制限商品の販売可能な残数が残り少なくなったときに、例えば報知情報を報知することができる。よって、例えば、オペレータがその報知情報を確認した場合は、販売制限商品の販売可能な残数が残り少なくなったこと等の案内を顧客に対して行うことができる。
【００８０】
また、商品販売データ処理装置において、販売制限商品についての、特別価格を表す特別価格情報を記憶する価格記憶部、を更に備え、累積数記憶部は、販売制限商品が価格記憶部に記憶された特別価格を適用して商品登録部により登録された場合に、販売制限商品の数量を累積、または、前記登録された販売制限商品の数量を前記限度数量から減算して記憶するようにしてもよい。
これにより、特別価格を適用して販売する特別販売について、報知情報を報知させることができる。
【００８１】
また、商品販売データ処理装置において、設定部は、顧客ごとにニアエンド数を設定し、累積数記憶部は、顧客ごとに、登録された販売制限商品の数量を商品ごとまたは商品種別ごとに累積して記憶する、または、前記顧客ごとに、前記登録された販売制限商品の数量を商品ごとまたは商品種別ごとに前記限度数量から減算して記憶してもよい。
これにより、例えば会員コードで識別される顧客ごとに、販売制限条件が設定されるため、顧客別に報知情報を報知させることができる。
【００８２】
また、商品販売データ処理装置において、価格記憶部は、顧客を識別する顧客識別情報ごとに特別価格情報を記憶し、媒体から顧客識別情報を取得する顧客識別情報取得部と、顧客識別情報取得部が取得した顧客識別情報で価格記憶部を検索し、一致する顧客識別情報が価格記憶部に記憶されている場合は、販売制限商品の販売価格を顧客識別情報に関係付けられた特別価格情報が示す特別価格に設定し、一致する顧客識別情報が価格記憶部に記憶されていない場合は、販売制限商品の販売価格を通常価格に設定する判定部と、を更に備えてもよい。
この構成により、例えば、会員コードが識別される会員顧客向けに、特別価格での商品販売を行うことができる。
【００８３】
また、商品販売データ処理装置において、操作入力を受け付ける操作入力受付部と、操作入力受付部により所定の操作入力が受け付けられたことに応じて、価格記憶部が記憶する特別価格情報と、限度数量記憶部が記憶する限度数量情報と、累積数記憶部が記憶する販売制限商品の数量とのうち少なくとも一つの情報を出力する出力部と、を更に備えてもよい。
この構成により、販売制限商品の特別販売に関する案内情報を顧客に提供することができる。
【００８４】
なお、本実施形態では、登録用ＰＯＳレジスタ１０と精算用ＰＯＳレジスタ２０とが分離された装置である例としたが、登録用ＰＯＳレジスタ１０に、精算用ＰＯＳレジスタ２０の機能を実現させてもよい。すなわち、登録用ＰＯＳレジスタ１０の商品登録処理と精算用ＰＯＳレジスタ２０の会計処理とを一体のＰＯＳレジスタに実行させてもよい。この場合、一体型のＰＯＳレジスタは、精算情報および案内情報を印刷した会計レシートを、出力部から出力する。
【００８５】
以上、本発明の実施の形態について図面を参照して詳述したが、具体的な構成はその実施形態に限られるものではなく、本発明の要旨を逸脱しない範囲の設計等も含まれる。
【符号の説明】
【００８６】
１…ＰＯＳシステム、１０…登録用ＰＯＳレジスタ、２０…精算用ＰＯＳレジスタ、３０…ストアコントローラ、４０…ネットワーク、１０１…ＣＰＵ、１０２…ＲＯＭ、１０３…ＲＡＭ、１０４…スキャナ、１０５…店員用表示部、１０６…顧客用表示部、１０７…操作部、１０８…通信部、１０９…ブザー、１１０…印刷部、１２０…カードリーダ、２０１…ＣＰＵ、２０２…ＲＯＭ、２０３…ＲＡＭ、２０４…スキャナ、２０５…表示部、２０６…操作部、２０７…通信部、２０８…ブザー、２０９…印刷部、２１０…決済部、２１１…自動釣銭釣札機
【図１】
2018170046.tif 000003
【図２】
2018170046.tif 000004
【図３】
2018170046.tif 000005
【図４】
2018170046.tif 000006
【図５】
2018170046.tif 000007
【図６】
2018170046.tif 000008
【図７】
2018170046.tif 000009
【図８】
2018170046.tif 000010
【図９】
2018170046.tif 000011
【図１０】
2018170046.tif 000012
【図１１】
2018170046.tif 000013
【図１２】
2018170046.tif 000014
【図１３】
2018170046.tif 000015
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
商品を登録する商品登録部と、
販売制限がかかる対象の商品である販売制限商品の限度数量を表す限度数量情報を記憶する限度数量記憶部と、
前記販売制限商品が前記商品登録部によって登録された場合、前記登録された販売制限商品の数量を累積、または、前記登録された販売制限商品の数量を前記限度数量から減算して記憶する累積数記憶部と、
前記累積数記憶部に記憶された前記販売制限商品の数量が、前記限度数量記憶部に記憶された前記限度数量情報が示す限度数量以下である場合、少なくとも前記販売制限がかかる対象の商品の商品名称と、対象期間と、今回買い上げた数量情報と、次回の買い上げにおいて利用可能である残りの数量情報とを出力する出力部と、
を備える商品販売データ処理装置。
【請求項２】
前記販売制限商品についての、特別価格を表す特別価格情報を記憶する価格記憶部、
を更に備え、
前記累積数記憶部は、前記販売制限商品が前記価格記憶部に記憶された前記特別価格を適用して前記商品登録部により登録された場合に、前記販売制限商品の数量を累積、または、前記登録された販売制限商品の数量を前記限度数量から減算して記憶する、
請求項１記載の商品販売データ処理装置。
【請求項３】
前記価格記憶部は、顧客を識別する顧客識別情報ごとに特別価格情報を記憶し、
媒体から顧客識別情報を取得する顧客識別情報取得部と、
前記顧客識別情報取得部が取得した前記顧客識別情報で前記価格記憶部を検索し、一致する顧客識別情報が前記価格記憶部に記憶されている場合は、前記販売制限商品の販売価格を前記顧客識別情報に関係付けられた特別価格情報が示す特別価格に設定し、一致する顧客識別情報が前記価格記憶部に記憶されていない場合は、前記販売制限商品の販売価格を通常価格に設定する判定部と、
を更に備える請求項２記載の商品販売データ処理装置。
【請求項４】
商品販売データ処理装置としてのコンピュータを、
商品を登録する商品登録部、
販売制限がかかる対象の商品である販売制限商品の限度数量を表す限度数量情報を記憶する限度数量記憶部、
前記販売制限商品が前記商品登録部によって登録された場合、前記登録された販売制限商品の数量を累積、または、前記登録された販売制限商品の数量を前記限度数量から減算して記憶する累積数記憶部、
前記累積数記憶部に記憶された前記販売制限商品の数量が、前記限度数量記憶部に記憶された前記限度数量情報が示す限度数量以下である場合、少なくとも前記販売制限がかかる対象の商品の商品名称と、対象期間と、今回買い上げた数量情報と、次回の買い上げにおいて利用可能である残りの数量情報とを出力する出力部、
として機能させるための制御プログラム。
【手続補正３】
【補正対象書類名】明細書
【補正対象項目名】０００１
【補正方法】変更
【補正の内容】
【０００１】
本発明は、商品販売データ処理装置及び制御プログラムに関する。
【手続補正４】
【補正対象書類名】明細書
【補正対象項目名】０００５
【補正方法】変更
【補正の内容】
【０００５】
［１］上記の課題を解決するため、本発明の一態様である商品販売データ処理装置は、商品を登録する商品登録部と、販売制限がかかる対象の商品である販売制限商品の限度数量を表す限度数量情報を記憶する限度数量記憶部と、前記販売制限商品が前記商品登録部によって登録された場合、前記登録された販売制限商品の数量を累積、または、前記登録された販売制限商品の数量を前記限度数量から減算して記憶する累積数記憶部と、前記累積数記憶部に記憶された前記販売制限商品の数量が、前記限度数量記憶部に記憶された前記限度数量情報が示す限度数量以下である場合、少なくとも前記販売制限がかかる対象の商品の商品名称と、対象期間と、今回買い上げた数量情報と、次回の買い上げにおいて利用可能である残りの数量情報とを出力する出力部と、を備える。
【手続補正５】
【補正対象書類名】明細書
【補正対象項目名】０００６
【補正方法】変更
【補正の内容】
【０００６】
［２］上記［１］記載の商品販売データ処理装置において、前記販売制限商品についての、特別価格を表す特別価格情報を記憶する価格記憶部、を更に備え、前記累積数記憶部は、前記販売制限商品が前記価格記憶部に記憶された前記特別価格を適用して前記商品登録部により登録された場合に、前記販売制限商品の数量を累積、または、前記登録された販売制限商品の数量を前記限度数量から減算して記憶する。
［３］上記［２］記載の商品販売データ処理装置において、前記価格記憶部は、顧客を識別する顧客識別情報ごとに特別価格情報を記憶し、媒体から顧客識別情報を取得する顧客識別情報取得部と、前記顧客識別情報取得部が取得した前記顧客識別情報で前記価格記憶部を検索し、一致する顧客識別情報が前記価格記憶部に記憶されている場合は、前記販売制限商品の販売価格を前記顧客識別情報に関係付けられた特別価格情報が示す特別価格に設定し、一致する顧客識別情報が前記価格記憶部に記憶されていない場合は、前記販売制限商品の販売価格を通常価格に設定する判定部と、を更に備える。
［４］上述した課題を解決するために、本発明の他の態様である制御プログラムは、商品販売データ処理装置としてのコンピュータを、商品を登録する商品登録部、販売制限がかかる対象の商品である販売制限商品の限度数量を表す限度数量情報を記憶する限度数量記憶部、前記販売制限商品が前記商品登録部によって登録された場合、前記登録された販売制限商品の数量を累積、または、前記登録された販売制限商品の数量を前記限度数量から減算して記憶する累積数記憶部、前記累積数記憶部に記憶された前記販売制限商品の数量が、前記限度数量記憶部に記憶された前記限度数量情報が示す限度数量以下である場合、少なくとも前記販売制限がかかる対象の商品の商品名称と、対象期間と、今回買い上げた数量情報と、次回の買い上げにおいて利用可能である残りの数量情報とを出力する出力部、として機能させるプログラムである。